(57)【要約】【課題】天井の意匠性に優れ、かご室壁パネルを取り外すことなく天井をかご室内へ搬入出可能にする。【解決手段】かご室の壁面を構成するかご壁パネルに固定される天井板8を有し、天井板8は、パネル本体11とパネル本体11の四辺にそれぞれ取り付けられる天井端部フランジ12とを備え、天井端部フランジ12は、パネル本体11に対してヒンジ13によって回動可能に取り付けられており、天井板8をかご室内に搬入する際、又はかご室から搬出する際には、天井端部フランジ12は、ヒンジ13の回りをかご床方向に回動されて折り畳まれ、かご室内に搬入された天井板8をかご壁パネルに固定する際には、天井端部フランジは、ヒンジ回りを水平方向に回動され、パネル本体11に対して面一にしてかご壁パネルに取り付けられる。【選択図】図２
2019182574.tif 000002
【特許請求の範囲】
【請求項１】
かご室の壁面を構成するかご壁パネルに固定される天井板を有し、
前記天井板は、パネル本体と当該パネル本体の四辺にそれぞれ取り付けられる天井端部フランジとを備え、
前記天井端部フランジは、前記パネル本体に対してヒンジによって回動可能に取り付けられており、
前記天井板をかご室内に搬入する際、又はかご室から搬出する際には、前記天井端部フランジはかご床方向に回動されて折り畳まれ、
前記かご室内に搬入された天井板を前記かご壁パネルに固定する際には、折り畳み状態にある天井端部フランジは水平方向に回動され、前記パネル本体に対して面一にして前記かご壁パネルに取り付けられる、
ことを特徴とするエレベータのかご天井。
【請求項２】
前記天井板の下面側には、照明光をかご室内に透過させる天井ケースが取り付けられており、
前記天井ケースは、前記パネル本体の幅寸法よりも広く、かつ前記天井端部フランジを水平方向に開いた状態での幅寸法よりも狭い大きさを持つ、
ことを特徴とする請求項１に記載のエレベータのかご天井。
【請求項３】
前記ヒンジの設置箇所には、前記天井端部フランジの回動を規制する回動規制部材が設けられており、当該回動規制部材は、
折り畳み状態にある前記天井端部フランジを開き方向に回動させる際には、水平方向以上に開くのを規制し、
開き状態にある前記天井端部フランジを閉じ方向に回動させる際には、垂直方向以上に閉じるのを規制する、
ことを特徴とする請求項１又は２に記載のエレベータのかご天井。
【請求項４】
請求項２又は３に記載のエレベータのかご天井をかご室内に搬入して天井を据え付ケース際に使用される天井据付用治具であって、
前記天井板及び天井ケースが天井ケース受けを介在させて載置される天井ケース載せ台と、当該天井ケース載せ台を水平方向と垂直方向との間で回動させる回動部材とを備え、載置された天井板及び天井ケースをかご室内まで搬送する回転台車と、
回転台車によってかご室内に搬送された天井板を天井高さまで上昇移動させる昇降装置と、
を備えることを特徴とするエレベータのかご天井据付用治具。
【請求項５】
前記回転台車のかご室内への搬入出をガイドするための台車ガイドレールと、
前記回転台車の位置決め用のストッパーと、
をさらに備える請求項４に記載のエレベータのかご天井据付用治具。
【請求項６】
かご室に設置され、前記回転台車によって搬入された前記天井ケース受けが載置されるレール土台と、
前記レール土台の四隅にそれぞれ垂直方向に取り付けられ前記昇降装置によって昇降される前記天井板及び天井ケースの昇降を案内する昇降用ガイドレールと、
各昇降用ガイドレールの下方に取り付けられ、回転台車をかご外に搬出する際に、前記天井ケース受けを回転台車の天井ケース載せ台から離間させるためのジャッキと、
前記ジャッキによって離間された天井ケース受けを水平状態に指示するために各昇降用ガイドレールの下方に取り付けられる落下防止用金具と、
を備えることを特徴とする請求項４又は５に記載のエレベータのかご天井据付用治具。
【請求項７】
前記昇降装置は、チェーンによって吊り下げられた前記エレベータのかご天井を昇降させるホイスト、油圧によって前記エレベータのかご天井を昇降させる油圧式昇降装置、気圧によって前記エレベータのかご天井を昇降させる気圧式昇降装置、電動機によって前記エレベータのかご天井を昇降させる電動式昇降装置、及びねじの回転動作に伴ってポールを上下させることによって前記エレベータのかご天井を昇降させるねじ式昇降装置に少なくとも何れかである、
ことを特徴とする請求項４乃至６の何れか１項に記載のエレベータのかご天井据付用治具。
【請求項８】
エレベータのかご室内にかご天井を据え付ケースかご天井据付方法であって、
請求項１乃至３の何れか１項に記載のエレベータのかご天井を前記天井端部フランジを閉じた状態で回転台車の載置台に載置し、
前記回転台車の載置台をエレベータのかご床と交差する方向に回転させて出入口からかご室内に搬入し、
搬入後、前記載置台を水平方向に復帰させ、
前記回転台車を取り除いた後、前記かご天井を昇降装置によって天井付近まで上昇させ、
上昇させたかご天井の前記天井端部フランジを開き方向に回動させた後、かご壁パネルに取り付ケース、
ことを特徴とするエレベータのかご天井据付方法。
【発明の詳細な説明】
【技術分野】
【０００１】
本発明の実施形態は、エレベータのかご天井、かご天井据付用治具、及びかご天井据付方法に関する。
【背景技術】
【０００２】
エレベータのかご天井は、かご室壁パネルに固定される天井板と、天井板の下面側に設けられ照明光をかご室内に透過させる天井ケースとを備えている。
【０００３】
従来、天井ケースをリニューアルする場合、天井ケースを上下昇降させる方法として、天井ケースに取付られたチェーンを、天井上端部に設けられたウインチによって昇降させる方法を採用している。また、天井ケースは、かご室の出入口幅より広いため、天井ケースをかご室内に搬入出するには、天井ケースを分割折り畳み構造とするようにしていた。
【先行技術文献】
【特許文献】
【０００４】
【特許文献１】特開平７−１３７９６１号号公報
【特許文献２】特開２００９−１５５０３１号公報
【発明の概要】
【発明が解決しようとする課題】
【０００５】
しかしながら、上述のように天井ケースをかご室内で昇降可能にし、又は天井ケースをかごへ搬入出可能にするには、天井ケースの表面（意匠面）に昇降用にガイドローラ、搬入出する場合に折り畳めるように、天井ケースに分割線を設ケース必要がある。このため、意匠性に欠けていた。また、従来の方法では天井ケースのみの交換に関するものであり、天井ケース上に取付する天井板を交換する際は、一度かご壁パネルを取り外す必要があった。
【０００６】
本発明は上記事情に鑑み、天井の意匠性に優れ、かご室壁パネルを取り外すことなく天井をかご室内へ搬入出可能で、効率的に天井一式を交換可能なエレベータのかご天井、かご天井据付用治具、及びかご天井据付方法を提供することを目的とする。
【課題を解決するための手段】
【０００７】
上記の目的を達成するための実施形態は、かご室の壁面を構成するかご壁パネルに固定される天井板を有し、天井板は、パネル本体と当該パネル本体の四辺にそれぞれ取り付けられる天井端部フランジとを備え、天井端部フランジは、パネル本体に対してヒンジによって回動可能に取り付けられており、天井板をかご室内に搬入する際、又はかご室から搬出する際には、天井端部フランジをかご床方向に回動させて折り畳まれ、かご室内に搬入された天井板をかご壁パネルに固定する際には、折り畳み状態にある天井端部フランジを水平方向に回動させ、パネル本体に対して面一にしてかご壁パネルに取り付けられる、ことを特徴とするエレベータのかご天井である。
【図面の簡単な説明】
【０００８】
【図１】エレベータかご室の全体構成を示す説明図。
【図２】天井板及び天井ケースからなるかご天井の構成を示す説明図。
【図３】天井板の構成を示す説明図。
【図４】図３に示す天井板のＡ部分の詳細を示す説明図。
【図５】かご天井端部フランジの回転動作を示す説明図。
【図６】かご天井端部フランジの折り畳み時を示す説明図。
【図７】天井ケースの説明図。
【図８】天井ケース受けの説明図。
【図９】回転台車の水平時を示す説明図。
【図１０】回転台車の回転時を示す説明図。
【図１１】回転台車に締結された天井ケース受けを示す説明図。
【図１２】回転台車に締結されたかご天井の状態を示す説明図。
【図１３】回転台車に締結されたかご天井の回転状態を示す説明図。
【図１４】回転台車のかご室搬入出の状態を示す説明図。
【図１５】回転台車のかご室搬入後の状態を示す説明図。
【図１６】昇降装置の一例としてのホイストの説明図。
【図１７】ホイストによる天井昇降。
【図１８】かご天井据付用治具の一例を構成する台車ガイドレールの説明図。
【図１９】かご天井据付用治具の一例としての台車ガイドレールによる台車搬入の説明図。
【図２０】台車ガイドレールを利用した場合の台車設置の説明図。
【図２１】台車ガイドストッパーによる位置決めの説明図。
【図２２】かご天井据付用治具の一例を構成する昇降ガイドレールの説明図。
【図２３】昇降ガイドレールを外側に設置する例を示す説明図。
【図２４】昇降ガイドレール落下防止ピンの説明図。
【図２５】天井ケース受けジャッキアップの説明図。
【図２６】回転台車取り外しの説明図。
【図２７】天井据付の処理手順の一例を示すフローチャート。
【図２８】昇降ガイドレールを内側に設置する例を示す説明図。
【図２９】昇降装置の一例としての油圧式昇降装置の説明図。
【図３０】油圧式昇降装置によるかご内搬入を示す説明図。
【図３１】油圧式昇降装置による天井昇降の説明図。
【図３２】昇降装置の一例としての気圧式昇降装置の説明図。
【図３３】気圧式昇降装置による天井昇降の説明図。
【図３４】昇降装置の一例としての電動式昇降装置の説明図。
【図３５】電動式昇降装置による天井昇降の説明図。
【図３６】昇降装置の一例としてのネジ式昇降装置の説明図。
【図３７】ネジ式昇降装置による天井昇降の説明図。
【発明を実施するための形態】
【０００９】
≪第１実施形態≫
＜構成＞
以下、図面を参照して、本発明の第１実施形態について説明する。
【００１０】
図１はエレベータのかご室の外観構成を示す斜視図である。同図に示すように、かご室１は、かご床２の端部から垂直方向に立設された幅木３と、幅木３上に取り付けられ、かご室の三方を形成するかご壁パネル４と、かご室１の出入口５の上部に設置された幕板６と、かご壁パネル４と幕板６の上に取り付けられる天井７とを備えている。
【００１１】
＜天井の構造＞
図２に示すように、天井７は、天井板８と、この天井板８に取り付けられかご室１側に面する天井ケース９とを備えている。天井板８と天井ケース９との間には内部空間１０が形成され、照明装置等が取り付けられる。
【００１２】
図３に示すように、天井板８は、パネル本体１１とこのパネル本体１１の四辺側に取り付けられた天井端部フランジ１２とを備えている。各天井端部フランジ１２、天井板８のパネル端部に対してヒンジ１３を介して回動自在に取り付けられている。
【００１３】
図４は、図３に２点鎖線で囲んだ部分Aの詳細な構成を示している。図４（Ａ）に示すように、天井端部フランジ１２を水平方向に起こした状態では、ヒンジ１３は、ストッパーボルト１４に当接して水平方向を超えて開くのが防止されている。天井端部フランジ１２を起こした状態で四隅を目隠しプレート１５をボルト、ナットで締結することで、意匠性を確保している。
天井端部フランジ１２は、取付孔１８によってかご壁パネル１にねじ止め固定される。
【００１４】
図５（Ａ）〜（Ｃ）は、天井端部フランジ１２を側面側から見たものである。ストッパーボルト１４を緩めるとヒンジ１３は、（Ａ）に示す水平方向から（Ｂ）に示すように垂直方向へと回動していく。（Ｃ）に示すように、垂直方向に回動した状態では、ストッパーボルト１３は、ヒンジ１３の動きを規制しており、天井端部フランジ１２が垂直方向以上に閉じるのを規制するとともに、水平方向に戻るのを規制している。すなわち、ストッパーボルト１４を緩めると、天井端部フランジ１２がパネル本体１１に対して水平状態より上側へ回転しないよう天井端部フランジ１２の回転ストッパーとなる。またストッパーボルト１４を閉めると、天井端部フランジ１２が下側に回転し、上側に回転しないよう天井端部フランジ１２の回転ストッパーとなる。
【００１５】
図６は、天井端部フランジ１２を閉じ方向（垂直方向）に移動する図５（Ｂ）の状態を示している。
【００１６】
図７に示すように、天井板８の下面側に取り付けられる天井ケース９は、四角錐形状を呈しており、照明装置からの照明光をかご室に導入する機能を有するとともに、意匠面としての機能を有する。天井ケース９は、天井据付時には、図８に示すように、天井ケース受け２０上に載置されて搬送される。
【００１７】
天井ケース受け２０は、角パイプ２４によって格子状に組まれており、３辺には天井ケース締結ブラケット２１が取り付けられ、また四隅にはジャッキ受け板２２が設置されている。さらに、四隅の角パイプ２４の端部にはボルト２５によって、後述する昇降レールガイド２３が設置されており、昇降用ガイドレールに沿って昇降するように構成されている。
【００１８】
＜回転台車＞
天井据付用治具としての回転台車３０は、図９に示すように、回転台車３０は角パイプ溶接構造によって枠組みされており、台車部３１と、この台車部３１を搬送するためのキャスター３２と、台車部３１上に垂直方向に取り付けられた支持部３３と、回動機構３４と、天井ケース載せ台３５とを備えている。
【００１９】
回動機構３４は、天井ケース載せ台３５を回動させるために軸受（図示せず）に回動可能の支持されたシャフト３６と、シャフト３６を回動させるための操作レバー３７と、操作レバー３７の動きを規制して天井ケース載せ台３５を、図１０に示すように、水平方向と垂直方向の略９０度の範囲で回動させるための回転ストッパー３８とを備えている。そして、操作レバー３７によりシャフト３６を軸として天井ケース載せ台３５を回転可能に構成される。
【００２０】
図１１に示すように、天井ケース載せ台３５には、前述した天井ケース受け２０が取り付けられる。天井ケース受け２０には、図１２に示すように天井７又は天井ケース９が載置・固定され、この状態で操作レバー３７を作業員が操作することで、図１３に示すように、天井ケース載せ台３５を垂直方向（かご床方向）に回動させることができる。
【００２１】
図１４は、天井ケース載せ台３５を垂直方向に回動させて、天井７かご出入口５からかご室内に搬入される様子を示している。回転台車３０上に水平方向に載置された天井７がかご出入口を通過可能になるまでかご床方向に回動させてかご室内に移動した後、再び、操作レバー３７を操作して図１５に示すように、水平方向に回動させる。
【００２２】
＜昇降装置＞
図１６は、昇降装置の一例としてのホイスト４０を示している。ホイスト４０は、チェーンによって吊り下げられたエレベータのかご天井を昇降させるもので、チェーン４１の先端のフック４２によって天井７を吊り下げ可能に構成されている。また、フック４３及びチェーン４４を介して昇降路のレールや梁に取り付けられる。
【００２３】
＜第１実施形態：ホイストを用いたかご天井据付方法＞
次に、昇降装置としてホイスト４０を用いたかご天井据付方法について説明する。
【００２４】
図８〜図１２に示すように、回転台車３０の天井ケース載せ台３５の上に天井ケース受け２０をボルト固定する。天井ケース受け２０の上に天井７、天井ケース９を載せ、天井ケース受け２０の端部に設置された天井ケース締結ブラケット２１により天井ケース９を圧縮させる方向に押し付けながらボルト固定する。天井ケース載せ台３５に天井７、天井ケース９、天井ケース受け２０を乗せた状態で、回転台車３０の操作レバー３７を時計周りに回し、回転台車のシャフト３６を回転させる。
【００２５】
図２１に示すように、天井７が立掛けられた状態まで回転させた後、かご室内に回転台車３０を搬入、回転台車３０の操作レバー３７を反時計回りに回し、天井７が水平状態になるまで回転させる。天井ケース締結ブラケット２１のボルトを緩め、天井ケース９と天井ケース受け２０を取り外す。
【００２６】
次いで、図１７に示すように、かご枠４５（又は昇降路のレールや梁）に設置したホイスト４０と天井吊孔１９（図６参照）をワイヤーロープ４６で固定し、ホイスト４０で天井７、天井ケース９をかご壁パネル１の上端より上になるまで昇降させる。その後、天井端部フランジ１２が水平になるまで回転させながら、天井端部フランジ１２下面とかご壁パネル１、幕板６上面が接触するまでホイスト４０で下げる。最後に、天井端部フランジ１２の取付孔１８（図６参照）からボルトを通して、天井端部フランジ１２とかご壁パネル１及び幕板６とをボルト締結する。
【００２７】
＜作用・効果＞
回転台車３０で天井を立掛けた状態にすることによって、かご室の出入口５から天井７、天井ケース９を搬入出させることができる。天井端部フランジ１２を回転可能な構造にしたことにより、回転台車３０にて回転する際、天井７の回転軌道半径を短くすることができ、かご壁パネル１と干渉することなく、かご室内で天井７を回転させることができる。また、ホイスト４０にて天井７を昇降させる際にも天井７とかご壁パネル１の干渉を防ぐことができる。
【００２８】
また、天井７と天井端部フランジ１２の締結部の分割線（パネル本体１１と天井端部フランジ１２との境目）は、天井ケース９周囲端部よりも内側になるため、かご室内から分割線が見えることが無く意匠性に優れている。
【００２９】
≪第２実施形態≫
＜構成＞
第２実施形態では、天井７を載置した回転台車３０をかご室内に搬入する際に容易かつ正確に位置決めができるように、台車ガイドレール５０を設置している。
【００３０】
図１８〜２１に示すように、板曲げ鋼板からなる台車ガイドレール５０は、かご床２の上に、台車ガイドレール５０の側面が回転台車３０の車輪幅に合うように設置され、出入口５側には広角度のついた傾斜ガイドレール５１が固定される。回転台車３０のかご内搬入時の位置合わせのため、台車ガイドレール５０には台車ストッパー５２が設置される。
【００３１】
＜作用・効果＞
回転台車３０のかご内搬入で進行位置、角度を誤った際、傾斜ガイドレール５１によって、進行位置、角度を補正することができる。回転台車３０の車輪幅に合わせて設置された台車ガイドレール５０は、かご室内で間口方向に対して回転台車３０の位置調整作業を低減することができる。
【００３２】
台車ガイドレール５０に設置された台車ストッパー５２は、かご室内で奥行方向に対して回転台車３０の位置調整作業を低減することができる。
【００３３】
≪第３実施形態≫
＜構成＞
第３実施形態では、かご室内にて昇降装置によって、天井７を昇降させる際に、天井７が左右に触れて損傷するのを防止し、真っ直ぐに上昇させるため、昇降ガイドレール６０を設置するように構成したものである。
【００３４】
図２２、２３、３０に示すように、角パイプからなる４本の昇降ガイドレール６０は、かご室内において、天井７とかご壁パネル１の間に設置される。各昇降ガイドレール６０の下部は角パイプからなるレール土台６１にそれぞれ固定される。各昇降ガイドレール６０には複数の丸穴が設けられ、丸穴に落下防止ピン６２を取付可能な構造となっている。
【００３５】
天井７、天井ケース９、天井ケース受け２０が昇降装置によって上に持ち上げられると、天井ケース受け２０に設けられた昇降レールガイド６３が昇降ガイドレール６０に沿って昇降する。昇降レールガイド６３の下側において、昇降ガイドレール６０に設けられた丸穴に落下防止ピン６２を通す。
【００３６】
＜作用・効果＞
かご室内に昇降ガイドレール６０を設置し、昇降させる天井ケース受け２０に昇降レールガイド６３を取り付ケースことによって、天井７、天井ケース９昇降時にかご壁パネル１、幕板６と接触し傷をつケースことなく、真っ直ぐ上に昇降させることが可能となる。また、昇降レールガイド６３の下側に落下防止ピン６２をレールに設けた丸穴に通すことによって、万一、天井７、天井ケース９が落下した場合に、昇降レールガイド６３下面と落下防止ピン６２上面が接触し、天井７、天井ケース９の落下を防ぐことができる。その他は第１実施形態と同様である。
【００３７】
図２７は、エレベータのかご天井据付方法の処理手順を示している。図２７に示すフローチャートは、全て実施形態に共通の処理である。
【００３８】
同図に示すように、先ず、天井端部フランジ１２を水平状態から折り曲げた状態に回転させて折り畳む（ステップＳ１）。次に、回転台車３０の上に天井７を設置する（ステップＳ２）。次いで、かご室１の出入口５の間口幅よりも狭くするために、回転台車３０を回転させ天井７を立掛けた状態（垂直方向）に設置する（ステップＳ３）。この状態で、回転台車３０及び回転台車３０上に載置された天井７がかご室内に搬入される（ステップＳ４）。
【００３９】
かご室内では、回転台車３０を回転させ、天井７を水平状態に設置する（ステップＳ５）。次いで、回転台車３０と天井７の締結を取り外す（ステップＳ６）。次に、昇降装置により天井７をリフトアップする（ステップＳ７）。折り畳まれていた天井端部フランジ１を回転させて水平状態に戻す（ステップＳ８）。次いで、昇降装置により天井７をかご壁パネル４及び幕板６の上端までリフトダウンさせる（ステップＳ９）。最後に、天井端部フランジ１２と、かご壁パネル４及び幕板６とをボルトによって締結する（ステップＳ１０）。
【００４０】
以上のエレベータのかご天井据付方法によれば、簡単な作業によってエレベータのかご天井を据え付ケースことができる。
【００４１】
＜かご天井の変形例の場合のガイドレールの設置＞
図２８に示すように、かご天井７が平面視でコの字状に形成されている場合には、昇降用ガイドレールをかご天井７の内側（コの字の内側部分）に設置するようにしたものである。このように構成することにより、図２３に示すように、昇降用ガイドレールをかご天井７の外側に設置する場合に比較して設置スペースを小さくすることができ、その分作業素ペールが確保できるので、作業性が向上する。
【００４２】
≪第４実施形態≫
＜構成＞
第４実施形態では、昇降装置として油圧式昇降装置７０を使用して天井７の昇降をするものである。
【００４３】
図２９〜３０に示すように油圧式昇降装置７０の下部にはキャスター７１が設けられ、油圧式昇降装置７０の天板には、天井ケース受け２０を締結するための締結用丸穴７２が穿設されている。回転台車３０、天井７、天井ケース９及び天井ケース受け２０をかご室１内に搬入後、かご室１内でレール土台６１、レール６０、ジャッキ６５、落下防止ピン６２を組み立てる。
【００４４】
次いで、図２５に示すように、回転台車３０と天井ケース受け２０の締結ボルトを外し、レール土台６１に設置されたジャッキ６５を締め付け、天井ケース受け２０の下部に設置されたジャッキ受け板２２を押し上げる。回転台車３０と天井ケース受け２０の接触が無くなったところで、回転台車３０をかご外へ搬出する。油圧式昇降装置７０をかご室内へ搬入し、油圧式昇降装置７０をリフトアップさせ、油圧式昇降装置７０の天板と天井ケース受け２０を締結する。油圧式昇降装置７０で天井７、天井ケース９をかご壁パネル１の上端より上になるまで昇降させる。天井端部フランジ１２を水平になるまで回転させながら、天井端部フランジ１２下面とかご壁パネル１、幕板６上面が接触するまで下げた後、天井端部フランジ１２とかご壁パネル１、幕板６をボルト締結する。その他は第１実施形態と同様である。
【００４５】
＜作用・効果＞
昇降路のレールや梁にホイストを取付する必要が無いため、昇降路での作業が不要となる。その他は第１実施形態と同様である。
【００４６】
≪他の実施形態≫
なお、昇降装置としては、種々の装置が利用できる。
【００４７】
例えば、図３２、３３に示す気圧式昇降装置８０は、気圧によってエレベータのかご天井を昇降させる。また、図３４、３５に示す電動式昇降装置９０は、電動機によってエレベータのかご天井を昇降させる。さらに、図３６、３７に示すネジ式昇降装置１００は、ねじの回転動作に伴ってポールを上下させることによってエレベータのかご天井を昇降させる。
【００４８】
これらの昇降装置８０、９０、１００を用いることにより、昇降路のレールや梁にホイストを取付する必要が無いため、昇降路での作業が不要となり、作業性が向上する。
【００４９】
以上、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５０】
１…かご室、２…かご床、３…幅木、４…かご壁パネル、５…出入口、６…幕板、７…５部フランジ、１３…ヒンジ、１４…ストッパーボルト（回動規制部材）、１５…目隠しプレート、１６…ボルト、１７…ナット、１８…取付孔、２０…天井ケース受け、２１…天井ケース締結ブラケット、２２…ジャッキ受け板、２３…昇降レールガイド、２４…角パイプ、３０…回転台車、３１…台車部、３２…キャスター、３３…支持部、３４…回動機構、３５…天井ケース載せ台、３６…シャフト、３７…操作レバー、３８…回転ストッパー、４０…ホイスト、４１…チェーン、４２，４３…フック、４４，４６…ワイヤーロープ、４５…かご枠、５０…台車ガイドレール、５１…傾斜ガイドレール、５２…台車ストッパー、６０…昇降ガイドレール、６１レール土台、６２…落下防止ピン、７０…油圧式昇降装置、８０…気圧式昇降装置、９０…電動式昇降装置、１００…ネジ式昇降装置。
【図１】
2019182574.tif 000003
【図２】
2019182574.tif 000004
【図３】
2019182574.tif 000005
【図４】
2019182574.tif 000006
【図５】
2019182574.tif 000007
【図６】
2019182574.tif 000008
【図７】
2019182574.tif 000009
【図８】
2019182574.tif 000010
【図９】
2019182574.tif 000011
【図１０】
2019182574.tif 000012
【図１１】
2019182574.tif 000013
【図１２】
2019182574.tif 000014
【図１３】
2019182574.tif 000015
【図１４】
2019182574.tif 000016
【図１５】
2019182574.tif 000017
【図１６】
2019182574.tif 000018
【図１７】
2019182574.tif 000019
【図１８】
2019182574.tif 000020
【図１９】
2019182574.tif 000021
【図２０】
2019182574.tif 000022
【図２１】
2019182574.tif 000023
【図２２】
2019182574.tif 000024
【図２３】
2019182574.tif 000025
【図２４】
2019182574.tif 000026
【図２５】
2019182574.tif 000027
【図２６】
2019182574.tif 000028
【図２７】
2019182574.tif 000029
【図２８】
2019182574.tif 000030
【図２９】
2019182574.tif 000031
【図３０】
2019182574.tif 000032
【図３１】
2019182574.tif 000033
【図３２】
2019182574.tif 000034
【図３３】
2019182574.tif 000035
【図３４】
2019182574.tif 000036
【図３５】
2019182574.tif 000037
【図３６】
2019182574.tif 000038
【図３７】
2019182574.tif 000039
【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
かご室の壁面を構成するかご壁パネルに固定される天井板を有し、
前記天井板は、パネル本体と当該パネル本体の四辺にそれぞれ取り付けられる天井端部フランジとを備え、
前記天井端部フランジは、前記パネル本体に対してヒンジによって回動可能に取り付けられており、
前記天井板をかご室内に搬入する際、又はかご室から搬出する際には、前記天井端部フランジはかご床方向に回動されて折り畳まれ、
前記かご室内に搬入された天井板を前記かご壁パネルに固定する際には、折り畳み状態にある天井端部フランジは水平方向に回動され、前記パネル本体に対して面一にして前記かご壁パネルに取り付けられ、
前記天井板の下面側には、照明光をかご室内に透過させる天井ケースが取り付けられており、
前記天井ケースは、前記パネル本体の幅寸法よりも広く、かつ前記天井端部フランジを水平方向に開いた状態での幅寸法よりも狭い大きさを持つ、
ことを特徴とするエレベータのかご天井。
【請求項２】
前記ヒンジの設置箇所には、前記天井端部フランジの回動を規制する回動規制部材が設けられており、当該回動規制部材は、
折り畳み状態にある前記天井端部フランジを開き方向に回動させる際には、水平方向以上に開くのを規制し、
開き状態にある前記天井端部フランジを閉じ方向に回動させる際には、垂直方向以上に閉じるのを規制する、
ことを特徴とする請求項１に記載のエレベータのかご天井。
【請求項３】
請求項１又は２に記載のエレベータのかご天井をかご室内に搬入して天井を据え付ける際に使用される天井据付用治具であって、
前記天井板及び天井ケースが天井ケース受けを介在させて載置される天井ケース載せ台と、当該天井ケース載せ台を水平方向と垂直方向との間で回動させる回動部材とを備え、載置された天井板及び天井ケースをかご室内まで搬送する回転台車と、
回転台車によってかご室内に搬送された天井板を天井高さまで上昇移動させる昇降装置と、
を備えることを特徴とするエレベータのかご天井据付用治具。
【請求項４】
前記回転台車のかご室内への搬入出をガイドするための台車ガイドレールと、
前記回転台車の位置決め用のストッパーと、
をさらに備えることを特徴とする請求項３に記載のエレベータのかご天井据付用治具。
【請求項５】
かご室に設置され、前記回転台車によって搬入された前記天井ケース受けが載置されるレール土台と、
前記レール土台の四隅にそれぞれ垂直方向に取り付けられ前記昇降装置によって昇降される前記天井板及び天井ケースの昇降を案内する昇降用ガイドレールと、
各昇降用ガイドレールの下方に取り付けられ、回転台車をかご外に搬出する際に、前記天井ケース受けを回転台車の天井ケース載せ台から離間させるためのジャッキと、
前記ジャッキによって離間された天井ケース受けを水平状態に支持するために各昇降用ガイドレールの下方に取り付けられる落下防止用金具と、
を備えることを特徴とする請求項３又は４に記載のエレベータのかご天井据付用治具。
【請求項６】
前記昇降装置は、チェーンによって吊り下げられた前記エレベータのかご天井を昇降させるホイスト、油圧によって前記エレベータのかご天井を昇降させる油圧式昇降装置、気圧によって前記エレベータのかご天井を昇降させる気圧式昇降装置、電動機によって前記エレベータのかご天井を昇降させる電動式昇降装置、及びねじの回転動作に伴ってポールを上下させることによって前記エレベータのかご天井を昇降させるねじ式昇降装置の少なくとも何れかである、
ことを特徴とする請求項３乃至５の何れか１項に記載のエレベータのかご天井据付用治具。
【請求項７】
エレベータのかご室内にかご天井を据え付けるかご天井据付方法であって、
請求項１又は２に記載のエレベータのかご天井を前記天井端部フランジを閉じた状態で回転台車の載置台に載置し、
前記回転台車の載置台をエレベータのかご床と交差する方向に回転させて出入口からかご室内に搬入し、
搬入後、前記載置台を水平方向に復帰させ、
前記回転台車を取り除いた後、前記かご天井を昇降装置によって天井付近まで上昇させ、
上昇させたかご天井の前記天井端部フランジを開き方向に回動させた後、かご壁パネルに取り付ける、
ことを特徴とするエレベータのかご天井据付方法。